(57)【要約】      （修正有）【課題】簡便な凹凸嵌合により、互いの方位による牽制作用が達成され、かつ便利に取り外せる間隔部材の連結構造を提供する。【解決手段】所定幅を有する中空基礎構造体の外周辺における相隣する両側に、凹設された間隔を置いた少なくとも２箇所または２箇所以上の上狭下広な楔形空間１１と、中空基礎構造体の外周辺における他の相隣する両側に、凸設され、間隔を置いた少なくとも２本または２本以上の上広下狭な楔形肋部１２と、を備え、相隣する両側の楔形空間１１を内広外狭状に形成し、また他の相隣する両側の楔形肋部１２を内狭外広状に形成する。これにより、間隔部材１に対して組み付けを実施する場合、連繋接続する予定の間隔部材１は、表向き及び裏向きを呈し、表向きの間隔部材１の外周辺の楔形空間１１に、相応する裏向きの間隔部材１の外周辺の楔形肋部１２が食い込むのを許容する。【選択図】図１
0003191460.tif 000002
【実用新案登録請求の範囲】
【請求項１】
間隔部材の連結方式であって、
建築物に対して区画壁面または敷設地面とする間隔部材は、所定幅を有する中空基礎構造体の外周辺における相隣する両側に、凹設された間隔を置いた少なくとも２箇所または２箇所以上の上狭下広な楔形空間と、前記中空基礎構造体の外周辺における他の相隣する両側に、凸設され、間隔を置いた少なくとも２本または２本以上の上広下狭な楔形肋部と、を備え、
相隣する両側の前記楔形空間を内広外狭状に形成し、また他の相隣する両側の前記楔形肋部を内狭外広状に形成し、これにより、前記間隔部材に対して組み付けを実施する場合、連繋接続する予定の間隔部材は、表向き及び裏向きを呈し、表向きの間隔部材の外周辺の前記楔形空間に、相応する裏向きの間隔部材の外周辺の前記楔形肋部が食い込むのを許容して、前記間隔部材が簡便な凹凸嵌合により、互いの方位による牽制作用が達成され、かつ前記間隔部材が後日不使用となり、取り除く必要がある場合でも、便利な取り外しにより前記間隔部材の形態を保持したまま、間隔部材の実施効率を大幅に向上させ、応用をより機動的に実行できるようにすることを特徴とする、間隔部材の連結方式。
【請求項２】
前記間隔部材の各周辺に位置する上下部位は、略凹面形状に形成されることを特徴とする、請求項１に記載の間隔部材の連結方式。
【請求項３】
間隔部材の構成であって、
建築物に対して区画壁面または敷設地面とする間隔部材の構成は、複数本の間隔部材と、複数本の挟持ユニットと、から構成され、
前記複数本の間隔部材は、所定幅を有する中空基礎構造体の外周辺における相隣する両側に、間隔を置いた少なくとも２箇所または２箇所以上の上狭下広な楔形空間が凹設され、前記中空基礎構造体の外周辺における他の相隣する両側に、間隔を置いた少なくとも２本または２本以上の上広下狭な楔形肋部が凸設され、
相隣する両側の前記楔形空間が内広外狭状に形成され、また他の相隣する両側の前記楔形肋部が内狭外広状に形成され、前記複数本の間隔部材の各角隅の内周辺は、凹設領域に形成され、
前記複数本の間隔部材として、必要な形態の間隔部材ユニットを構成するために、表向きと裏向きとの相互掛合により、表向きの間隔部材の外周辺の前記楔形空間に、相応する裏向きの間隔部材の外周辺の前記楔形肋部が食い込むのを許容して、前記複数本の挟持ユニットで前記間隔部材ユニットの中央部位の各凹設領域に対して正確な方位による牽制作用が行われることを特徴とする、間隔部材の構成。
【請求項４】
構成した前記間隔部材ユニットの中央部位に対応して結合される前記複数本の挟持ユニットは、
上制限具と、下制限具と、から構成され、前記上制限具が外周辺に位置する下向きに延在する各凸部は、前記間隔部材ユニットの中央部位の各凹設領域に対応して嵌入され、また前記下制限具が外周辺に位置する上向きに延在する各凸部も、前記間隔部材ユニットの各凹設領域に対応して嵌入されると共に、前記下制限具の中央部位の一節のロッド段を前記上制限具の所定空間に対応して導入させることで、前記複数本の挟持ユニットにより、前記間隔部材ユニットに対してより好適な牽制作用が行われることを特徴とする、請求項３に記載の間隔部材の構成。
【考案の詳細な説明】
【技術分野】
【０００１】
本考案は、間隔部材の連結方式及び構成に係り、主に、ペットマットの高さ調整、植栽、または室内・室外の置き飾り等の用途に広汎に応用される間隔部材で、組み付けを実施する時に、簡便な凹凸嵌合により、互いの方位による牽制作用が達成され、かつ間隔部材が後日不使用となって取り除く必要がある場合でも、便利な取り外しにより間隔部材の形態を保持したまま、間隔部材を損なうことなく、間隔部材の実施効率を大幅に向上させ、応用をより機動的に実行できる、間隔部材の連結方式及び構成に関するものである。
【背景技術】
【０００２】
一般に、現在の関連業者は、通常、空胴レンガを建築の壁面に積み重ねるレンガまたは庭の芝地面に敷設されるレンガの代替物として取り替えるものの開発において、このような空胴レンガは、耐圧・抗重及び堅固・安定の特性を有するので、一般人も徐々にそれを壁積みための建築材料として選択されるようになったり、または室内隔壁、物置棚、戸棚の基台、高さ調整部品や庭園の地面への敷設等のような建築の外に用いる形態が多くなり、空胴レンガを積み重ねた後に、簡易花台または植栽のフェンスとすることもできる。しかし、前記のような空胴レンガを建築の壁面または室内隔壁の積み重ねに用いる場合には、コンクリートのようなもので互いに相隣する空胴レンガを方位固定する必要がある。また、空胴レンガを室内の物置棚、高さ調整部品、または庭の花台或いは地面への敷設に用いる場合では、所定造形の積み重ねまたは敷設だけの効果しかなく、部材の配置や芝生の植栽等の必要な別の用途として行うことができなかった。
【０００３】
上述したように、前記のような空胴レンガを壁面または室内隔壁に積み重ねて、後日不使用となった場合には、かなり大きい外力を費やさなければ、コンクリートで固定された空胴レンガを壁面または隔壁から取り除きすることができない。直接庭の所定花台への積み重ねまたは地面への敷設に対し、必要な造形を架設することができないため、空胴レンガの便利さで伝統的なレンガを代替することができるが、後日取り除きが困難になる問題、または庭に敷設する時には、造形できない不具合が存在する問題がある。
【０００４】
ここで、本出願の考案者は、空胴レンガのような部材が使用上に存在する不具合に対し、具体的に改善すると共に、ペットマットの高さ調整、植栽、または室内・室外の置き飾り等の用途に広汎に応用される間隔部材で実施する時に、簡便な凹凸嵌合により、互いの方位による牽制作用が達成され、かつ間隔部材が後日不使用となって取り除く必要がある場合でも、便利な取り外しにより間隔部材の形態を保持したまま、間隔部材を損なうことなく、間隔部材の実施効率を大幅に向上させ、応用をより機動的に実行できる、間隔部材の連結方式及び構成を提供する。
【考案の概要】
【考案が解決しようとする課題】
【０００５】
本考案は、建築の壁面に積み重ねる空胴レンガまたは庭の地面に敷設される空胴レンガの使用時の従来の問題を鑑みて、改善することができるので、ペットマットの高さ調整、植栽、または室内・室外の置き飾り等の用途に応用される前記した分野と同じ分野の間隔部材で、組み付けを実施する時に、簡便な凹凸嵌合により、互いの方位による牽制作用が達成され、かつ間隔部材が後日不使用となって取り除く必要がある場合でも、便利な取り外しにより間隔部材の形態を保持したまま、間隔部材を損なうことなく、間隔部材の実施効率を大幅に向上させ、応用をより機動的に実行できる、間隔部材の連結方式及び構成が提供される。
【課題を解決するための手段】
【０００６】
本考案の主な目のは、建築物に対して区画壁面または敷設地面とする間隔部材は、所定幅を有する中空基礎構造体の外周辺における相隣する両側に、凹設された間隔を置いた少なくとも２箇所または２箇所以上の上狭下広な楔形空間と、中空基礎構造体の外周辺における他の相隣する両側に、凸設され、間隔を置いた少なくとも２本または２本以上の上広下狭な楔形肋部と、を備え、相隣する両側の前記楔形空間を内広外狭状に形成し、また他の相隣する両側の楔形肋部を内狭外広状に形成し、これにより、間隔部材に対して組み付けを実施する場合、連繋接続する予定の間隔部材は、表向き及び裏向きを呈し、表向きの間隔部材の外周辺の楔形空間に、相応する裏向きの間隔部材の外周辺の楔形肋部が食い込むのを許容して、間隔部材が簡便な凹凸嵌合により、互いの方位による牽制作用が達成され、かつ間隔部材が後日不使用となって取り除く必要がある場合でも、便利な取り外しにより間隔部材の形態を保持したまま、間隔部材の実施効率を大幅に向上させ、応用をより機動的に実行できるようにすることを特徴とする、間隔部材の連結方式を提供することである。
【０００７】
本考案の第２目のは、間隔部材の各周辺に位置する上下部位は、略凹面形状に形成されることを特徴とする、間隔部材の連結方式を提供することである。
【０００８】
本考案の第３目のは、建築物に対して区画壁面または敷設地面とする間隔部材の構成は、複数本の間隔部材と、複数本の挟持ユニットと、から構成され、間隔部材は、所定幅を有する中空基礎構造体の外周辺における相隣する両側に、間隔を置いた少なくとも２箇所または２箇所以上の上狭下広な楔形空間が凹設され、中空基礎構造体の外周辺における他の相隣する両側に、間隔を置いた少なくとも２本または２本以上の上広下狭な楔形肋部が凸設され、相隣する両側の前記楔形空間が内広外狭状に形成され、また他の相隣する両側の楔形肋部が内狭外広状に形成され、間隔部材の各角隅の内周辺は、凹設領域に形成され、複数本の間隔部材として、必要な形態の間隔部材ユニットを構成するために、表向きと裏向きとの相互掛合により、表向きの間隔部材の外周辺の楔形空間に、相応する裏向きの間隔部材の外周辺の楔形肋部が食い込むのを許容して、挟持ユニットで間隔部材ユニットの中央部位の各凹設領域に対して正確な方位による牽制作用が行われることを特徴とする、間隔部材の構成を提供することである。
【０００９】
本考案の第４目のは、構成した間隔部材ユニットの中央部位に対応して結合される挟持ユニットは、上制限具と、下制限具と、から構成され、前記上制限具が外周辺に位置する下向きに延在する各凸部は、間隔部材ユニットの中央部位の各凹設領域に対応して嵌入され、また下制限具が外周辺に位置する上向きに延在する各凸部も、間隔部材ユニットの各凹設領域に対応して嵌入されると共に、下制限具の中央部位の一節のロッド段を上制限具の所定空間に対応して導入させることで、挟持ユニットにより、間隔部材ユニットに対してより好適な牽制作用が行われることを特徴とする、間隔部材の構成を提供することである。
【図面の簡単な説明】
【００１０】
【図１】本考案の区画部材の単一部材の模式図である。
【図２】本考案の区画部材の平面模式図である。
【図３】本考案の区画部材の前面模式図である。
【図４】本考案の区画部材と区画部材との未連結状態を示す模式図である。
【図５】本考案の区画部材を組立て連結するステップ１を示す模式図である。
【図６】本考案の区画部材を組立て連結するステップ２を示す模式図である。
【図７】本考案の区画部材を組立て連結するステップ３を示す模式図である。
【図８】本考案の区画部材を組立て連結するステップ４を示す模式図である。
【図９】本考案の区画部材を組立て連結した完成状態を示す模式図である。
【考案を実施するための形態】
【００１１】
本考案が設計した間隔部材の連結方式及び構成（図１、図２、図３参照）は、建築物に対して区画壁面または敷設地面とする間隔部材１は、所定幅を有する中空基礎構造体の外周辺における相隣する両側に、凹設された間隔を置いた少なくとも２箇所または２箇所以上の上狭下広な楔形空間１１と、中空基礎構造体の外周辺における他の相隣する両側に、凸設され、間隔を置いた少なくとも２本または２本以上の上広下狭な楔形肋部１２と、を備え、相隣する両側の前記楔形空間１１を内広外狭状に形成し、また他の相隣する両側の楔形肋部１２を内狭外広状に形成し、間隔部材１の各角隅の内周辺を凹設領域１３に形成すると同時に、間隔部材１の各周辺に位置する上下部位は、略凹面形状に形成される（図３参照）。
【００１２】
上記した間隔部材１に対して組み付けを実施する場合（図４参照）には、連繋接続する予定の間隔部材１は、表向き及び裏向きを呈し（ここでは、上部近傍の前記間隔部材１が表向きを呈する一方、下部近傍の前記間隔部材１が裏向きを呈する）、表向きの間隔部材１の外周辺の楔形空間１１に、相応する裏向きの間隔部材１の外周辺の楔形肋部１２が食い込むの（図５参照）を許容して、連繋接続した２本の間隔部材１の一側を他の間隔部材１と組み付けしようとする場合には、連繋接続していない間隔部材１と組み合わせる予定の間隔部材１とも、裏向きを呈し、表向きの間隔部材１の外周辺の楔形肋部１２を、相応する裏向きの間隔部材１の外周辺の楔形空間１１に食い込ませる（図６参照）。その後、表向きの間隔部材１の相隣する両側の楔形空間１１に、相応の連繋接続が完成した前記間隔部材１の楔形肋部１２が食い込み（図７参照）ことで、所定形態の間隔部材１が構成される。このように、間隔部材１が簡便な凹凸嵌合により、互いの方位による牽制作用が達成され、かつ間隔部材１が後日不使用となって取り除く必要がある場合でも、便利な取り外しにより間隔部材１の形態を保持したまま、間隔部材１の実施効率を大幅に向上させ、応用をより機動的に実行できるようにする。
【００１３】
また、建築物に対して区画壁面または敷設地面とする間隔部材の構成は、複数本の間隔部材１と、複数本の挟持ユニット２と、から構成され、前記複数本の間隔部材１は、所定幅を有する中空基礎構造体の外周辺における相隣する両側に、間隔を置いた少なくとも２箇所または２箇所以上の上狭下広な楔形空間１１が凹設され、中空基礎構造体の外周辺における他の相隣する両側に、間隔を置いた少なくとも２本または２本以上の上広下狭な楔形肋部１２が凸設され、相隣する両側の前記楔形空間１１が内広外狭状に形成され、また他の相隣する両側の楔形肋部１２が内狭外広状に形成され、前記複数本の間隔部材１の各角隅の内周辺は、凹設領域１３に形成される。
【００１４】
複数本の間隔部材１を構成して実施する場合（図６、図７参照）には、複数本の間隔部材１は、表向きと裏向きとの相互掛合、及び表向きの間隔部材１の外周辺の楔形空間１１に、相応する裏向きの間隔部材１の外周辺の楔形肋部１２が食い込むのを許容することにより、必要な形態の間隔部材ユニット３（図７参照）が構成される。その後、挟持ユニット２で間隔部材ユニット３の中央部位の各凹設領域１３に対して正確な方位による牽制作用が行われ、そのうち、前記挟持ユニット２は、上制限具２１と、下制限具２２と、から構成され（図８参照）、前記上制限具２１が外周辺に位置する下向きに延在する各凸部２１１は、間隔部材ユニット３の中央部位の各凹設領域１３に対応して嵌入可能に構成され、また下制限具２２が外周辺に位置する上向きに延在する各凸部２２１も、間隔部材ユニット３の各凹設領域１３に対応して嵌入可能に構成されると共に、下制限具２２の中央部位の一節のロッド段２２２を上制限具２１の所定空間２１２に対応して導入させることで、構成した間隔部材ユニット３に対してより好適な牽制作用が行われる（図９参照）。
【００１５】
上記構成の間隔部材ユニット３に対しても、連繋接続する各間隔部材１が異なる色に成形されるため、連繋接続した間隔部材ユニット３は、所定の様々な色合いや必要な形態の用途別造形が得られ、間隔部材１をペットマットの高さ調整や植栽の造形するために架設する時、または室内・室外の置き飾りとする時、または敷設する時には、正確な方位による牽制作用を向上させることができ、かつ不使用となっても取り外しが非常に便利なので、間隔部材１の整合性を損なわないようにする。
【符号の説明】
【００１６】
１：間隔部材
１１：楔形空間
１２：楔形肋部
１３：凹設領域
２：挟持ユニット
２１：上制限具
２１１，２２１：凸部
２１２：空間
２２：下制限具
２２２：ロッド段
３：間隔部材ユニット
【図１】
0003191460.tif 000003
【図２】
0003191460.tif 000004
【図３】
0003191460.tif 000005
【図４】
0003191460.tif 000006
【図５】
0003191460.tif 000007
【図６】
0003191460.tif 000008
【図７】
0003191460.tif 000009
【図８】
0003191460.tif 000010
【図９】
0003191460.tif 000011
【手続補正書】
【提出日】平成26年4月22日(2014.4.22)
【手続補正１】
【補正対象書類名】実用新案登録請求の範囲
【補正対象項目名】全文
【補正方法】変更
【補正の内容】
【実用新案登録請求の範囲】
【請求項１】
間隔部材の連結構造であって、
建築物に対して区画壁面または敷設地面とする間隔部材は、所定幅を有する中空基礎構造体の外周辺における相隣する両側に、凹設された間隔を置いた少なくとも２箇所または２箇所以上の上狭下広な楔形空間と、前記中空基礎構造体の外周辺における他の相隣する両側に、凸設され、間隔を置いた少なくとも２本または２本以上の上広下狭な楔形肋部と、を備え、
相隣する両側の前記楔形空間を内広外狭状に形成し、また他の相隣する両側の前記楔形肋部を内狭外広状に形成し、これにより、前記間隔部材に対して組み付けを実施する場合、連繋接続する予定の間隔部材は、表向き及び裏向きを呈し、表向きの間隔部材の外周辺の前記楔形空間に、相応する裏向きの間隔部材の外周辺の前記楔形肋部が食い込むのを許容して、前記間隔部材が簡便な凹凸嵌合により、互いの方位による牽制作用が達成され、かつ前記間隔部材が後日不使用となり、取り除く必要がある場合でも、便利な取り外しにより前記間隔部材の形態を保持したまま、間隔部材の実施効率を大幅に向上させ、応用をより機動的に実行できるようにすることを特徴とする、間隔部材の連結構造。
【請求項２】
前記間隔部材の各周辺に位置する上下部位は、略凹面形状に形成されることを特徴とする、請求項１に記載の間隔部材の連結構造。
【請求項３】
間隔部材ユニットであって、
建築物に対して区画壁面または敷設地面とする間隔部材ユニットは、複数本の間隔部材と、複数本の挟持ユニットと、から構成され、
前記複数本の間隔部材は、所定幅を有する中空基礎構造体の外周辺における相隣する両側に、間隔を置いた少なくとも２箇所または２箇所以上の上狭下広な楔形空間が凹設され、前記中空基礎構造体の外周辺における他の相隣する両側に、間隔を置いた少なくとも２本または２本以上の上広下狭な楔形肋部が凸設され、
相隣する両側の前記楔形空間が内広外狭状に形成され、また他の相隣する両側の前記楔形肋部が内狭外広状に形成され、前記複数本の間隔部材の各角隅の内周辺は、凹設領域に形成され、
前記複数本の間隔部材として、必要な形態の間隔部材ユニットを構成するために、表向きと裏向きとの相互掛合により、表向きの間隔部材の外周辺の前記楔形空間に、相応する裏向きの間隔部材の外周辺の前記楔形肋部が食い込むのを許容して、前記複数本の挟持ユニットで前記間隔部材ユニットの中央部位の各凹設領域に対して正確な方位による牽制作用が行われることを特徴とする、間隔部材ユニット。
【請求項４】
構成した前記間隔部材ユニットの中央部位に対応して結合される前記複数本の挟持ユニットは、
上制限具と、下制限具と、から構成され、前記上制限具が外周辺に位置する下向きに延在する各凸部は、前記間隔部材ユニットの中央部位の各凹設領域に対応して嵌入され、また前記下制限具が外周辺に位置する上向きに延在する各凸部も、前記間隔部材ユニットの各凹設領域に対応して嵌入されると共に、前記下制限具の中央部位の一節のロッド段を前記上制限具の所定空間に対応して導入させることで、前記複数本の挟持ユニットにより、前記間隔部材ユニットに対してより好適な牽制作用が行われることを特徴とする、請求項３に記載の間隔部材ユニット。